(57)【要約】【課題】  表示パネルの書換頻度を少なくした動作低減モードから通常モードに移行して画像を表示した場合に、表示色の不揃いを回避することができる表示装置及びその制御方法を提供する。【解決手段】  電気泳動表示パネルからなる表示パネル５を備え、この表示パネル５に各種情報を表示する腕時計１において、表示パネル５に表示される情報を所定の書換間隔で書き換える通常モードと、表示パネル５の書き換えを停止又は書換間隔を長くする動作低減モードとに変更する動作モード変更手段を備え、この動作モード変更手段は、動作低減モードに移行する場合に、表示パネル５の表示領域を略同色に書き換えるようにした。【選択図】      図１
2007041385.tif 000002
【特許請求の範囲】
【請求項１】
電気泳動表示パネルを備え、この電気泳動表示パネルに各種情報を表示する表示装置において、
前記電気泳動表示パネルに表示される情報を所定の書換間隔で書き換える通常モードと、前記電気泳動表示パネルの書き換えを停止又は書換間隔を長くする動作低減モードとに変更する動作モード変更手段を備え、
この動作モード変更手段は、前記動作低減モードに移行する場合に、前記電気泳動表示パネルの予め設定した設定表示領域を略同色に書き換えることを特徴とする表示装置。
【請求項２】
前記設定表示領域は、前記電気泳動表示パネルの全ての表示領域、又は、通常モード移行時に略同色の画像が表示される表示領域のいずれかであることを特徴とする請求項１に記載の表示装置。
【請求項３】
前記電気泳動表示パネルは、セグメント表示パネルであり、
前記動作モード変更手段は、前記動作低減モードに移行する場合に、前記電気泳動表示パネルの表示領域のうち、背景を表示するためのセグメントで仕切られた表示領域単位で、該表示領域内を略同色に書き換えることを特徴とする請求項１又は２に記載の表示装置。
【請求項４】
前記動作モード変更手段は、前記動作低減モードに移行する場合に、前記設定表示領域を、通常モード移行時に表示予定の色と略同色に書き換えることを特徴とする請求項１乃至３のいずれかに記載の表示装置。
【請求項５】
前記動作モード変更手段は、前記動作低減モードに移行する場合に、前記設定表示領域に略同色のグラデーションの画像を表示させることを特徴とする請求項１又は４のいずれかに記載の表示装置。
【請求項６】
前記動作モード変更手段は、前記動作低減モードに移行する場合に、前記設定表示領域の色相、明度、彩度の少なくともいずれかが略同一になるように書き換えることを特徴とする請求項１乃至５のいずれかに記載の表示装置。
【請求項７】
電気泳動表示パネルを備え、この電気泳動表示パネルに各種情報を表示する表示装置の制御方法において、
前記電気泳動表示パネルに表示される情報を所定の書換間隔で書き換える通常モードから、前記電気泳動表示パネルの書き換えを停止又は書換間隔を長くする動作低減モードに移行する場合に、前記電気泳動表示パネルの予め設定した設定表示領域を略同色に書き換えることを特徴とする表示装置の制御方法。
【発明の詳細な説明】
【技術分野】
【０００１】
本発明は、電気泳動表示パネルに各種情報を表示する表示装置及びその制御方法に関する。
【背景技術】
【０００２】
近年、液体中に分散した帯電粒子が電界印可により泳動する現象、つまり、電気泳動現象を利用した電気泳動表示パネルを適用した表示装置が提案されている（例えば、特許文献１参照）。この種の表示装置は、電力非供給時でも表示内容を保持する表示保持性を有するため、被駆動時であっても情報を表示し続けることができる。
【特許文献１】特開平１−８６１１６号公報
【発明の開示】
【発明が解決しようとする課題】
【０００３】
ところで、上記表示装置では、電池寿命を長くするために、表示パネルの書き換え頻度を下げて消費電力を下げる方法が考えられる。しかしながら、表示装置の仕様（例えば時計仕様）による規制等から、表示パネルの書き換え頻度をある値以下に下げにくく、目的とする電池寿命を確保できない状況がある。その場合に、さらに電池寿命を延ばす方法として、一定条件下で、表示パネルの書き換え頻度を下げるスリープモード（動作低減モード）を設けることが考えられる。
【０００４】
しかし、電気泳動表示パネルは、ある表示色の状態が長時間維持されると、それ以外の色に変化させ難くなる現象がある。例えば、白色と青色の二色の表示を行う電気泳動表示パネルでは、白色の表示領域と青色の表示領域が、その状態に長時間（例えば１時間）保持されると、その後、両方の表示領域を白色に書換駆動しても、書換前が白色の表示領域は鮮やかな白になるのに対し、書換前が青色の表示領域は若干暗い白になってしまう。
【０００５】
このため、スリープモード移行時に白色と青色の表示領域が存在した場合には、通常モードに移行して各表示領域を同色に書換駆動しても、色が不揃いな表示になってしまう問題が生じる。特に、スリープモード移行時に色が異なる表示領域が隣接していた場合には、通常モード移行時に隣接する表示領域の色が不揃いとなってしまうため、その境目が目立ってしまうという問題が生じる。
【０００６】
本発明は、上述した事情に鑑みてなされたものであり、表示パネルの書換頻度を少なくした動作低減モードから通常モードに移行して画像を表示した場合に、表示色の不揃いを回避することができる表示装置及びその制御方法を提供することにある。
【課題を解決するための手段】
【０００７】
上述課題を解決するため、本発明は、電気泳動表示パネルを備え、この電気泳動表示パネルに各種情報を表示する表示装置において、前記電気泳動表示パネルに表示される情報を所定の書換間隔で書き換える通常モードと、前記電気泳動表示パネルの書き換えを停止又は書換間隔を長くする動作低減モードとに変更する動作モード変更手段を備え、この動作モード変更手段は、前記動作低減モードに移行する場合に、前記電気泳動表示パネルの予め設定した設定表示領域を略同色に書き換えることを特徴とする。
この発明によれば、動作低減モードに移行する場合に、電気泳動表示パネルの予め設定した設定表示領域を略同色に書き換えるので、通常モードへ移行して電気泳動表示パネルに画像を表示させた場合に表示色の不揃いが生じるのを回避することができる。
【０００８】
上記構成において、前記設定表示領域は、前記電気泳動表示パネルの全ての表示領域、又は、通常モード移行時に略同色の画像が表示される表示領域のいずれかであることが好ましい。この構成によれば、通常モード移行時に電気泳動表示パネルの全ての表示領域、又は、略同色の画像が表示される表示領域に色の不揃いが生じる場合を回避することができる。また、上記各構成において、前記電気泳動表示パネルが、セグメント表示パネルであり、前記動作モード変更手段が、動作低減モードに移行する場合に、前記電気泳動表示パネルの表示領域のうち、背景を表示するためのセグメントで仕切られた表示領域単位で、該表示領域内を略同色に書き換えることが好ましい。
【０００９】
また、上記各構成において、前記動作モード変更手段が、前記動作低減モードに移行する場合に、前記設定表示領域を通常モード移行時に表示予定の色と略同色に書き換えるようにしてもよい。この場合、通常モード移行時に、設定表示領域に予め予定した色を正確に表示させることができる。また、上記各構成において、前記動作モード変更手段が、前記動作低減モードに移行する場合に、前記設定表示領域に略同色のグラデーションの画像を表示させるようにしてもよい。また、上記各構成において、前記動作モード変更手段は、前記動作低減モードに移行する場合に、前記設定表示領域の色相、明度、彩度の少なくともいずれかが略同一になるように書き換えるようにしてもよい。
【００１０】
また、本発明は、電気泳動表示パネルを備え、この電気泳動表示パネルに各種情報を表示する表示装置の制御方法において、前記電気泳動表示パネルに表示される情報を所定の書換間隔で書き換える通常モードから、前記電気泳動表示パネルの書き換えを停止又は書換間隔を長くする動作低減モードに移行する場合に、前記電気泳動表示パネルの予め設定した設定表示領域を略同色に書き換えることを特徴とする。
この発明によれば、動作低減モードに移行する場合に、電気泳動表示パネルの予め設定した設定表示領域を略同色に書き換えるので、通常モードへ移行して電気泳動表示パネルに画像を表示させた場合に表示色の不揃いが生じるのを回避することができる。
【発明の効果】
【００１１】
本発明は、動作低減モードに移行する場合に、電気泳動表示パネルの予め設定した設定表示領域を略同色に書き換えるので、通常モードへ移行して電気泳動表示パネルに画像を表示させた場合に表示色の不揃いが生じるのを回避することができる。
【発明を実施するための最良の形態】
【００１２】
以下、図面を参照して本発明の実施形態を詳述する。
（第１実施形態）
図１は、本発明の第１実施形態に係る腕時計１の外観構成を示す図である。この図に示すように、腕時計１は、時計ケース２と、この時計ケース２に取り付けられ、ユーザの手首に巻き付けられる一対の時計バンド３とを備えている。時計ケース２は正面に時刻を表示するための時刻表示窓４が形成され、時刻を表示する表示パネル５を時刻表示窓４から視認可能に構成されている。また、時刻表示窓４には透明樹脂や透明ガラス等から形成されたカバー体６が嵌め込まれ、このカバー体６により表示パネル５が保護されている。さらに、時計ケース２には、時刻修正やモード変更等の各種指示を行うための操作ボタン８が設けられている。
【００１３】
上記表示パネル５は、複数のセグメントにより各種情報を表示するセグメント表示パネルが適用され、この表示パネル５の表示領域５Ｒには、図２に示すように、０〜９の数字を表示するためのセグメント（いわゆる７セグメント）５Ａが４列配列され、左２列のセグメント５Ａにより時刻の「時」が表示され、右２列のセグメント５Ａにより「分」が表示される。また、「時」のセグメント５Ａと「分」のセグメント５Ａの間には、「時」、「分」の区切りを示す文字（本例ではコロン）を表示するための正面視円形のセグメント５Ｂが配置されている。
また、同図に示すように、各セグメント５Ａ、５Ｂには、背景を表示する背景セグメント５Ｃが各々設けられており、これら背景セグメント５Ｃにより、各セグメント５Ａ、５Ｂにより表示される１文字（数字、コロン）毎に、背景（青色又は白色の背景）が表示される。本実施の形態では、この表示パネル５に電気泳動表示パネルが用いられているが、その詳細な構成については後述することにする。また、以下の説明において、セグメント５Ａ〜５Ｃのそれぞれを特に区別する必要がないときは、セグメント５Ｘと表記する。
【００１４】
上記時計ケース２内には、表示パネル５と一体的に構成された時刻表示ユニット１０が配置されている。この時刻表示ユニット１０は、図３に断面図を示すように、回路基板１１Ａと、表示枠１１Ｂと、ディスプレイ基板１１Ｃと、透明基板１１Ｄと、これらを保持する回路押さえ１３とを備えている。
ディスプレイ基板１１Ｃは、その上面に、各セグメント５Ａ〜５Ｃに対応するセグメント電極１４と、共通電極用セグメント電極１５とが設けられている。
このディスプレイ基板１１Ｃの下面には、表示枠１１Ｂを介して回路基板１１Ａが配置され、この回路基板１１Ａには、表示駆動回路４０や制御部５０等を構成する素子１６が実装されている。上記回路基板１１Ａの上面には、上記素子１６（表示駆動回路４０等）に配線接続された接点１１Ａ１が設けられると共に、上記ディスプレイ基板１１Ｃの下面には、各電極１４、１５に配線接続された接点１１Ｃ１が設けられ、これら接点１１Ａ１及び１１Ｃ１は、表示枠１１Ｂを貫通する接続コネクタ１７を介して導通されている。
【００１５】
さらに、回路基板１１Ａの側面には、スイッチ用電極１８が設けられ、このスイッチ用電極１８は、回路押さえ１３に設けられた板ばね１９を介して導通可能に構成され、この板ばね１９が上記操作ボタン８の押下操作によって変形した場合に、この変形した板ばね１９を介して導通する。この導通／非導通は、上記素子１６（本実施形態では制御部５０）によって検出される。また、上記回路基板１１Ａの下面には、上記素子１６に駆動電力を供給する電池（電源）２０が着脱自在に設けられる。更に、この回路基板１１Ａには、上記素子１６を覆う回路枠２１が固定され、この回路枠２１によって素子１６が保護されている。なお、上記電池２０には、一次電池であるボタン電池が適用されるが、これに限らず、二次電池を適用してもよい。
【００１６】
上記透明基板１１Ｄは、ディスプレイ基板１１Ｃ側の面に、ＩＴＯ（Indium-Tin Oxide）蒸着等で形成された透明の共通電極２５が設けられ、この透明の共通電極２５とディスプレイ基板１１Ｃのセグメント電極１４との間には、電気泳動層３０が設けられ、また、透明の共通電極２５と共通電極用セグメント電極１５との間には、共通電極用導通材２６が介挿されている。この共通電極用導通材２６は、例えば、導電性ゴムで形成され、この導電性ゴムが共通電極２５と共通電極用セグメント電極１５との間の間隙に合わせて変形することにより、これら電極２５、１５間の導通が確実に確保される。
【００１７】
上記電気泳動層３０は、図４に示すように、複数のマイクロカプセル３１から構成され、これらマイクロカプセル３１には、電気泳動粒子３２が混合された電気泳動分散液３３が封入されている。この電気泳動粒子３２には、例えば、プラス極性に帯電した青粒子が適用され、電気泳動分散液３３が白色に着色されることにより、いわゆる１粒子系の電気泳動層が構成されている。
従って、表示駆動回路４０により共通電極用セグメント電極１５（図２）が０Ｖ電位（アース電位）に保持されて共通電極２５が０Ｖ電位とされると共に、所定のセグメント電極１４にプラス電圧の駆動電圧が供給されてプラス電位とされた場合、セグメント電極１４から共通電極２５に向かう電界が発生し、マイクロカプセル３１内のプラスに帯電した電気泳動粒子（青粒子）３２が共通電極２５側に移動し、これに伴って、白色の電気泳動分散液３３がセグメント電極１４側に移動する。この結果、透明基板１１Ｄ側から視認されるマイクロカプセル３１が青色を呈するため、セグメント５Ｘが青を表示する。
【００１８】
これとは逆に、表示駆動回路４０により共通電極用セグメント電極１５にプラス電圧の駆動電圧が供給されて共通電極２５がプラス電位とされると共に、所定のセグメント電極１４が０Ｖ電位に保持された場合には、プラスに帯電した電気泳動粒子（青粒子）３２がセグメント電極１４側に移動し、これに伴って、白色の電気泳動分散液３３が共通電極２５側に移動するため、結果として、透明基板１１Ｄ側から視認されるマイクロカプセル３１が白色を呈し、セグメント５Ｘが白を表示する。また、共通電極２５とセグメント電極１４との間に電位差を生じない場合には、電気泳動粒子（青粒子）３２の移動が生じないため、セグメント５Ｘの表示色は変化せずに以前の状態が維持される。
なお、本実施の形態では、表示駆動回路４０が昇圧回路を内蔵し、電池２０から供給される電圧（例えば３Ｖ）を昇圧して＋１２Ｖの電圧を生成して、この＋１２Ｖの電圧、或いは、０Ｖの電圧を駆動電圧としてセグメント電極１４及び共通電極２５に印可している。
【００１９】
図５は、時刻表示ユニット１０の電気的構成を示している。
制御部５０は、ディスプレイ基板１１Ｃに設けられた配線パターンを介して表示駆動回路４０や電池２０と電気的に接続され、この制御部５０は、計時回路５１と、入出力回路（Ｉ／Ｏ）５２と、電圧制御回路５３と、操作制御回路５４と、低電圧検出回路５６と、制御回路（制御手段）５７とを備えている。計時回路５１は、図示しない発振回路の発振パルスをカウントすることにより時刻を計時するものであり、この計時回路５１は、入出力回路５２を介して表示駆動回路４０と接続されている。
また、電圧制御回路５３は、電池２０からの供給電力を制御部５０内の各部と表示駆動回路４０とに供給するものであり、操作制御回路５４は、上記スイッチ用電極１８の導通／非導通を検出することにより、操作ボタン８の操作を検出し、この検出結果を制御回路５７に通知する。
【００２０】
低電圧検出回路５６は、電池２０の電圧を検出し、電池電圧が下限閾値を下回ったか否かを判定し、この判定結果を制御回路５７に通知するものである。
また、制御回路５７は、この時刻表示ユニット１０全体を中枢的に制御するものであり、ＣＰＵ、ＲＯＭ、ＲＡＭ等を有し、ＣＰＵがＲＯＭに記憶された制御プログラムを実行することにより、制御部５０の各部の動作を制御すると共に、入出力部（Ｉ／Ｏ）５２を介して表示駆動回路４０に各種信号を出力する。
表示駆動回路４０は、上記したように、表示パネル５を駆動する回路であり、制御回路５７の指示の下、計時回路５１により計時されている時刻情報を取得し、指示された書換間隔で表示パネル５の書き換えを行い、時刻を表示パネル５に表示させる。
【００２１】
ところで、上記制御回路５７は、この腕時計１の動作モードを、表示パネル５に表示される時刻情報を時刻の更新間隔（本例では１分間隔）で書き換える通常モード（時刻表示モードに相当）と、表示パネル５の書換間隔を時刻の更新間隔よりも長くするスリープモード（動作低減モード）とに切り替える機能を有している。
この動作モードの切替は、１）ユーザの操作に基づいて切り替える場合、例えば、所定の操作ボタン８の所定操作（短押、長押等）によって動作モードを切り換える、２）予め設定された設定期間になると動作モードを切り替える場合、例えば、午前１：００になるとスリープモードに移行し、午前６：００になると通常モードに移行する、３）電池残量に基づいて切り替える場合、例えば、低電圧検出回路５６により電池電圧が下限閾値を下回ると動作低減モードに移行し、電池電圧が上限閾値（下限閾値と同じ値も可）を上回ると通常モードに移行する、の３つの態様があり、いずれか１つ以上の態様が予め設定されている。
なお、上記１）においては、基本がスリープモードの場合も含み、この場合、例えば、操作ボタン８の所定操作があった場合に所定期間の間だけ通常モードに移行し、現在時刻を表示パネル５に表示する。
【００２２】
次に、通常モード時の動作を説明する。図６は通常モード時の表示制御動作を示すタイミングチャートである。なお、この図においては、制御回路５７から表示切替指示信号が出力されたタイミングＭ１から１分及び２分経過したタイミングをそれぞれタイミングＭ２、Ｍ３と表記する。すなわち、これらのタイミングＭ２、Ｍ３では、制御回路５７から表示切替指示信号が表示駆動回路４０に対して出力されることになる。また、同図においては、共通電極２５に供給される駆動電圧をＣＯＭ、２つのセグメント電極１４のそれぞれに供給される駆動電圧をＳＥＧ１、ＳＥＧ２と表記し、また、セグメント電極１４に供給される各駆動電圧を特に区別する必要のないときは駆動電圧ＳＥＧと表記する。さらに、本表示動作の説明においては、２つのセグメント５Ｘのうちの一方の表示色が青から白に切り替えられ、他方のセグメント５Ｘの表示色が白から青に切り替えられる場合を説明し、これらのセグメント５Ｘを互いに区別するために、前者をセグメント５ＸＡと表記し後者をセグメント５ＸＢと表記する。
【００２３】
同図に示すように、表示切替指示信号が表示駆動回路４０に入力されてから次の表示切替指示信号が入力されるまでの間の期間には、書換期間Ｔａ及び休止期間Ｔｂが設けられている。書換期間Ｔａは、表示駆動回路４０が共通電極２５及び各セグメント電極１４に対して駆動電圧ＣＯＭ、ＳＥＧを供給して各セグメント５Ｘの表示色を変化させ、時刻表示を切り替える期間である。また、休止期間Ｔｂは、表示駆動回路４０が時刻表示切り替え後に、次の表示切替信号が入力されるまで待機する期間であり、この休止期間Ｔｂにおいては、表示駆動回路４０はその動作モードを省電力モードとする。また、休止期間Ｔｂにおいては、表示駆動回路４０の駆動電圧ＣＯＭ、ＳＥＧを出力する出力端がハイインピーダンス状態となる。したがって、休止期間Ｔｂにおいては、共通電極２５と各セグメント電極１４との間に電位差が生じることがないため、各セグメント５Ｘの表示色が書換期間Ｔａにおいて変化した色に維持される。
【００２４】
この書換期間Ｔａにおいて、本実施の形態では、白から青への表示色の切り替えと、青から白への表示色の切り替えとを同時に行うこととしている。具体的には、表示駆動回路４０は、各セグメント５Ｘのセグメント電極１４に対して、そのセグメント５Ｘが表示すべき表示色（ここでは白或いは青）に応じた電圧の駆動電圧ＳＥＧを印加しつつ、電圧が時系列的に表示色のそれぞれに対応した電圧に変化する駆動電圧ＣＯＭを共通電極２５に印加する。
詳述すると、図６に示すように、タイミングＭ１からタイミングＭ２までの期間（Ｉ）では、書換期間Ｔａにおいて、表示駆動回路４０は、表示色を青に変化させるべきセグメント５ＸＡに対して＋１２Ｖの駆動電圧ＳＥＧ１を供給するとともに、表示色を白に変化させるべきセグメント５ＸＢに対して０Ｖ（アース電圧）の駆動電圧ＳＥＧ２を供給する。また、書換期間Ｔａにおいて、表示駆動回路４０は共通電極２５に対して、駆動電圧ＣＯＭとして、その電圧がセグメント５Ｘの表示色を青にするための電圧０Ｖ、及び、白にするための電圧＋１２Ｖとの間で時系列的に変化する駆動電圧ＣＯＭを印加する。
【００２５】
このような駆動電圧ＣＯＭとして、本実施の形態では、電圧値が＋１２Ｖと０Ｖとの間でくし歯のパルス状に変化する駆動電圧ＣＯＭが用いられている。このとき、駆動電圧ＣＯＭの１パルスのパルス幅Ｗは、図示せぬ発振回路から出力される信号を分周して生成可能な周期（例えば１２５ｍｓ、６２．５ｍｓ等）に設定されており、この分周信号に基づいて駆動電圧ＣＯＭを生成可能としている。そして、このパルス幅Ｗで電圧が＋１２Ｖと０Ｖとの間でくし歯状に変化するパルス列Ｐの駆動電圧ＳＥＧが各セグメント５Ｘの表示色を変化させるのに十分なパルス数（例えば、＋１２Ｖ、０Ｖのパルスがそれぞれ１０パルス等）だけ印加される。なお、このパルス数（書換期間Ｔａ）を適宜調整することで、各セグメント５Ｘの表示色が変化した際の反射率（明度）ならびにコントラスト値を調整することができる。
【００２６】
この結果、書換期間Ｔａにおいて、駆動電圧ＣＯＭの電圧が＋１２Ｖのときには、そのパルス幅Ｗの間、０Ｖの駆動電圧ＳＥＧ２が供給されているセグメント５ＸＢのセグメント電極１４と共通電極２５との間に電界が発生し、マイクロカプセル３１の中の青粒子３２がセグメント電極１４側に移動することで、白色の電気泳動分散液３３が共通電極２５側に移動し、セグメント５ＸＢの表示色が多少白に変化する。続いて、駆動電圧ＣＯＭの電圧が０Ｖになったときには、そのパルス幅Ｗの間、＋１２Ｖの駆動電圧ＳＥＧ１が供給されているセグメント５ＸＡのセグメント電極１４と共通電極２５との間に電界が発生し、マイクロカプセル３１の中の青粒子３２が共通電極２５側に引き寄せられることで、セグメント５ＸＡの表示色が多少青に変化する。以降同様にして、駆動電圧ＣＯＭの電圧の時系列的変化に応じて青粒子３２が共通電極２５及びセグメント電極１４との間で少しずつ順次移動することで、各セグメント５ＸＡ、５ＸＢの表示色が段階的に変化し、この書換期間Ｔａの経過時には、セグメント５ＸＡの表示色が青になるともに、セグメント５ＸＢの表示色が白になる。
【００２７】
そして、書換期間Ｔａが経過した後、表示駆動回路４０は、次に表示切替信号が入力されるまで待機し、そして、タイミングＭ２で、再び、表示切替信号が入力された場合には、書換期間Ｔａにおいて、上記と同様にして、各セグメント５ＸＡ、５ＸＢの表示色を変化させることになる。例えば、先ほどとは逆に、セグメント５ＸＡの表示色を白に変化させ、また、セグメント５ＸＢの表示色を青に変化させる場合には、表示駆動回路４０は、書換期間Ｔａにおいて、セグメント５ＸＡに対して０Ｖの駆動電圧ＳＥＧ１を供給するとともに、セグメント５ＸＢに対して＋１２Ｖの駆動電圧ＳＥＧ２を供給し、また、共通電極２５に対して、電圧値が＋１２Ｖと０Ｖとの間でくし歯のパルス状に変化する駆動電圧ＣＯＭを供給することになる。
【００２８】
このように、時刻表示を書き替える書換期間Ｔａにおいて、表示駆動回路４０が、セグメント５Ｘが表示すべき表示色に応じた電圧の駆動電圧ＳＥＧを各セグメント５Ｘのセグメント電極１４ごとに印加しつつ、電圧が時系列的に表示色のそれぞれに対応した電圧に変化する駆動電圧ＣＯＭを共通電極２５に印加する構成としたため、この書換期間Ｔａ内で各セグメント５Ｘが、セグメント電極１４に印加された駆動電圧ＳＥＧの電圧に応じた表示色へ一斉に変化することとなる。この結果、表示の切り替えの際に、各セグメント５Ｘの表示色を一旦同じ表示色にする必要が無いため、表示の切り替えを白青同時に行うことができ、自然な切り替え表現とすることができる。以上が通常モード時の動作である。
【００２９】
次にスリープモード時の動作を説明する。図７はスリープモード時の表示制御動作を示すタイミングチャートである。このスリープモード時においては、制御回路５７から表示切替指示信号が出力されるタイミングＭ１、Ｍ２、Ｍ３…の時間間隔、つまり、表示パネル５の書換間隔が、通常モード時の書換間隔（１分）より長い時間（例えば３０分）に設定される。なお、スリープモード時の書換間隔は、上記値に限定されず、例えば、１０分や１時間といった値に設定される。
【００３０】
スリープモードに移行する場合、制御回路５７は、まず、スリープモードへの移行を指示する信号を表示駆動回路４０に出力することにより、表示駆動回路４０により表示パネル５の表示領域５Ｒ（設定表示領域）を全て白色に書き換える。この場合、図７に示すように、表示駆動回路４０は、タイミングＭ１からタイミングＭ２までの期間（Ｉ）では、書換期間Ｔａにおいて、表示色を白に書き換えるべく、全てのセグメント５Ｘ（図示の例ではセグメント５ＸＡ、５ＸＢのみを示す）に対して０Ｖ（アース電圧）の駆動電圧ＳＥＧを供給すると共に、共通電極２５に対して、白にするための駆動電圧ＣＯＭを印可する。この場合の駆動電圧ＣＯＭのパルス列Ｐ１の数は、全てのセグメント５Ｘを、コントラスト最大の白に変化させるのに十分なパルス数（例えば１０パルス）に設定され、これにより、表示パネル５の表示領域５Ｒが同色に書き換えられる。
ここで、表示領域５Ｒを同色に書き換えるとは、表示領域５Ｒの色相、明度、彩度の全てを略同一に書き換える場合に限らず、色相、明度、彩度の少なくとも１つを略同一に書き換える場合を含んでいる。
【００３１】
そして、書換期間Ｔａが経過した後、表示駆動回路４０は、次に表示切替信号が入力されるまで待機し、タイミングＭ２で、再び、表示切替信号が入力された場合には、書換期間Ｔａにおいて、表示パネル５の表示領域５Ｒを白色に保持すべく、全てのセグメント５Ｘに対して０Ｖ（アース電圧）の駆動電圧ＳＥＧ２を供給すると共に、共通電極２５に対して、白にするための駆動電圧ＣＯＭを印可する。この場合の駆動電圧ＣＯＭのパルス列Ｐ２の数は、図７に示すように、表示色を同色に保持するのに十分なパルス数に設定され、例えば、２パルスに設定される。
【００３２】
その後、表示駆動回路４０は、表示切替信号が入力されたタイミング（Ｍ３、…）で、上記タイミングＭ２の場合と同様にして、表示パネル５の表示領域５Ｒ全体を白色に保持する。そして、表示駆動回路４０は、制御回路５７から通常モードへの移行を指示する信号を入力すると、通常モード時の動作へ移行する。以上がスリープモード時の動作である。このように、本実施の形態によれば、スリープモードの場合には、通常モードに比して、書換間隔が長くなるだけでなく、書換時も通常モードに比して少ないパルス数の駆動電圧ＣＯＭで書き換えを行うので、この書換駆動に要する電力は少ないものとなり、消費電力を大幅に低減することができ、電池寿命を長くすることができる。
【００３３】
以上説明したように、本実施の形態によれば、スリープモード（動作低減モード）へ移行する場合に、表示パネル５の表示領域５Ｒ全体を略同色に書き換えるので、ある表示色の状態が長時間維持されるとそれ以外の色に変化させ難くなる現象を持つ電気泳動表示パネルを用いても、その後、通常モードへ移行して表示パネル５に白色や青色の画像を表示させた場合に各色の不揃いが生じるのを回避することができる。
しかも、このスリープモード時においても、表示パネル５の表示領域５Ｒ全体を所定周期で白色に書き換えるので、通常モード移行時の画像の色の不揃いをより確実に回避することができる。
【００３４】
（第２実施形態）
第２実施形態に係る腕時計１は、スリープモード時に表示パネル５の表示領域を、所定の表示領域単位で同色に書き換える点を除いて、第１実施形態に係る腕時計１と同一である。以下、同一部分については同一の符号を付して説明を省略し、異なる部分を詳細に説明する。
図８は、第２実施形態にかかる腕時計１の表示パネル５を示す図である。この表示パネル５の表示領域５０Ｒは、時刻を表示する時刻表示領域５０Ｒ１と、暦を表示する暦表示領域５０Ｒ２（図中、ハッチングを付した領域）とを備えている。
【００３５】
時刻表示領域Ｒ１には、「時刻（時分）」を示す０〜９の数字を表示するための４列のセグメント（いわゆる７セグメント）５Ａと、「時」と「分」の区切りを示すコロンを表示するセグメント５Ｂと、各セグメント５Ａ、５Ｂの背景を表示する背景セグメント５Ｃとが配置されている。
また、暦表示領域Ｒ２には、「暦（月日）」を示す１及び０〜９の数字を表示するための４列のセグメント５０Ａと、「月」と「日」の区切りを示す文字（本例ではスラッシュ）を表示するセグメント５０Ｂと、各セグメント５０Ａ、５０Ｂの背景を表示する背景セグメント５０Ｃとが配置されている。
【００３６】
この表示パネル５においては、通常モードの場合には、表示駆動回路４０により、時計表示領域５０Ｒ１の背景セグメント５Ｃが白色とされ、セグメント５Ａ、５Ｂが現在時刻を示すように選択的に青色と白色とされ、また、暦表示領域５０Ｒ２の背景セグメント５０Ｃが青色とされ、セグメント５０Ａ、５０Ｂが、暦（月日）を示すように選択的に青色と白色とされる。すなわち、現在の時分が白色の背景の中に青色の数字で表示され、現在の月日が、青色の背景の中に白色の数字で表示される。
本実施形態では、計時回路５１が時刻と暦を計時する機能を具備しており、表示駆動回路４０が、この計時回路５１の計時結果を取得し、表示パネル５を分間隔で書換駆動することにより、現在時刻の更新タイミングで表示中の時刻を１分後の時刻に更新すると共に、暦の更新タイミング（例えば、午前０時のタイミング）で、表示中の暦を１日後の暦に更新する。
【００３７】
一方、表示駆動回路４０は、制御回路５７からスリープモードへの移行を指示する信号を入力すると、予め第１設定表示領域に設定された時計表示領域５０Ｒ１を全て白色に書き換えると共に、予め第２表示領域に設定された暦表示領域Ｒ２を全て青色に書き換える。
そして、上記第１実施形態と同様の書換間隔で、つまり、通常モード時の書換間隔（１分）より長い書換間隔で、その表示状態を保持すべく、その表示状態に書き換える。なお、この表示状態を保持する場合の駆動電圧ＣＯＭのパルス列Ｐ２の数は、第１実施形態と同様に、通常モードに比して少ないパルス数（例えば２パルス）に設定される。そして、表示駆動回路４０は、制御回路５７から通常モードへの移行を指示する信号を入力すると、通常モード時の動作へ移行する。
【００３８】
このように、本実施の形態によれば、スリープモードへ移行する場合に、通常モード時に白色とされる背景セグメント５Ｃで仕切られた表示領域、つまり、時計表示領域５０Ｒ１を白色に書き換え、通常モード時に青色とされる背景セグメント５０Ｃで仕切られた表示領域、つまり、暦表示領域５０Ｒ２を青色に書き換えるので、各表示領域５０Ｒ１、５０Ｒ２内における色の不揃いを回避することができる。この結果、時計表示領域５０Ｒ１及び５０Ｒ２内の、背景セグメント５Ｃ、５０Ｃで仕切られた隣接する表示領域間の境目が色の不揃いにより目立ってしまう場合を確実に回避することができる。
しかも、スリープモード移行時に、各表示領域５０Ｒ１、５０Ｒ２を、各々、通常モード移行時に表示予定の色と同色に書き換えるので、通常モード移行時、各表示領域５０Ｒ１、５０Ｒ２の背景セグメント５Ｃ、５０Ｃに予め予定した色（鮮やかな白色や青色等）を正確に表示させることも可能となる。
【００３９】
上述した実施形態は、あくまで本発明の一態様に過ぎず、本発明の範囲内で任意に変形が可能である。例えば、上述の実施形態では、スリープモード移行時に、表示パネル５の予め設定した設定表示領域を、白色又は青色に書き換える場合について例示したが、中間色でもよく、また、略同色のグラデーションの画像を表示させてもよい。要は、通常モード移行時に色の不揃いを抑制可能な表示画像、すなわち、色変化の少ない表示画像に書き換えればよい。
また、上述の実施形態では、設定表示領域を、表示パネル５の表示領域全体、時刻表示領域及び暦表示領域のいずれかに設定する場合について例示したが、これに限らず、表示パネル５の一部の表示領域でもよく、例えば、通常モード時に連続する模様を表示する一部の表示領域のみを設定表示領域にしてもよい。
また、表示パネル５に複数の情報や画像を表示する場合には、一般に背景セグメントで仕切られた表示領域単位で情報や画像が表示されるため、設定表示領域は、背景セグメントで仕切られた表示領域単位で設定することが好ましい。また、上述の実施形態では、スリープモード時においても、表示パネル５の書き換えを行う場合について述べたが、これに限らず、スリープモード時は表示パネル５の書き換えを停止してもよい。
【００４０】
また、上述の実施形態では、表示保持性を有する表示パネル５として、１粒子系の電気泳動表示パネルを適用する場合について例示したが、これに限らず、２粒子系等の電気泳動表示パネルを適用することが可能である。また、表示方式もセグメント方式に限らず、ドットマトリックス方式を適用してもよい。
さらに、上記実施形態では、腕時計に本発明を適用する場合について述べたが、これに限らず、置時計、壁掛時計、柱時計、懐中時計等の各種時計や電子機器等の電気泳動表示パネルを備える表示装置に広く適用することができる。また、時計として構成する場合も、腕時計型に限らず、ネックレス型、指輪型、ペンダント型等の各種形状を適用することができる。
【図面の簡単な説明】
【００４１】
【図１】本発明の第１実施形態に係る腕時計の外観構成を示す図である。
【図２】腕時計の表示パネルの説明に供する図である。
【図３】腕時計の時刻表示ユニットを模式的に示す断面図である。
【図４】表示パネルの構成を説明するための断面図である。
【図５】時刻表示ユニットの電気的構成を示すブロック図である。
【図６】通常モード時の表示制御動作を示すタイミングチャートである。
【図７】スリープモード時の表示制御動作を示すタイミングチャートである。
【図８】第２実施形態に係る腕時計の表示パネルの説明に供する図である。
【符号の説明】
【００４２】
１…腕時計、５…表示パネル、５Ａ、５Ｂ、５Ｘ、５０Ａ、５０Ｂ…セグメント、５Ｃ、５０Ｃ…背景セグメント、５Ｒ、５０Ｒ、５０Ｒ１、５０Ｒ２…表示領域（設定表示領域）、１０…時刻表示ユニット、１１Ａ…回路基板、１１Ｂ…表示枠、１１Ｃ…ディスプレイ基板、１１Ｄ…透明基板、１２…透明基板、１４…セグメント電極、１７…接続コネクタ、２０…電池、２５…共通電極、２６…共通電極用導通材、３０…電気泳動層、３１…マイクロカプセル、４０…表示駆動回路、５０…制御部、５１…計時回路、５２…入出力回路、５３…電圧制御回路、５４…操作制御回路、５７…制御回路（動作モード変更手段）。
【図１】
2007041385.tif 000003
【図２】
2007041385.tif 000004
【図３】
2007041385.tif 000005
【図４】
2007041385.tif 000006
【図５】
2007041385.tif 000007
【図６】
2007041385.tif 000008
【図７】
2007041385.tif 000009
【図８】
2007041385.tif 000010